(57)【要約】【課題】受聴者が指定した話者の音声だけを、使用者が最も好ましく感じる変換率で自動的に話速を変換することができる話速変換装置、通話装置および話速変換方法を得ること。【解決手段】通話に参加する個々の話者の音声特徴を抽出する音声特徴抽出部１０１と、受聴者によって指定された話者について抽出された音声特徴を記憶する音声特徴記憶部１０２と、現在の発話者の音声特徴を音声特徴記憶部１０２に記憶された音声特徴と比較することによって発話者が、受聴者によって指定された話者の一人であるか否かを判定する話者判定部１０３と、話者判定部１０３で受聴者によって指定された話者であると判定された場合に、発話者の受話音声の話速を変換する話速変換部１０４と、を備える。【選択図】図４
2008292621.tif 000002
【特許請求の範囲】
【請求項１】
通話に参加する個々の話者の音声特徴を抽出する音声特徴抽出手段と、
受聴者によって指定された話者について抽出された音声特徴を記憶する音声特徴記憶手段と、
現在の発話者の音声特徴を前記音声特徴記憶手段に記憶された前記音声特徴と比較することによって前記発話者が、前記受聴者によって指定された話者の一人であるか否かを判定する話者判定手段と、
前記話者判定手段で前記受聴者によって指定された話者であると判定された場合に、前記発話者の受話音声の話速を変換する話速変換手段と、
を備えることを特徴とする話速変換装置。
【請求項２】
前記受聴者によって指定された話者のそれぞれに対して設定された最適な話速の変換率を記憶する指定話者変換条件記憶手段と、
前記話者判定手段によって判定された話者に対応する話速の変換率を、前記指定話者変換条件記憶手段から選択する指定話者変換条件選択手段と、
をさらに備え、前記話速変換手段は、前記指定話者変換条件選択手段によって選択された話速の変換率を用いて前記受聴者によって指定された話者の話速を変換することを特徴とする請求項１に記載の話速変換装置。
【請求項３】
前記指定話者変換条件記憶手段は、前記受聴者によって指定された話者のそれぞれに対して設定された再生音量の増幅率をさらに記憶し、
前記指定話者変換条件選択手段は、前記話者判定手段によって判定された話者に対応する話速の変換率と再生音量の増幅率とを、前記指定話者変換条件記憶手段から選択し、
前記話速変換手段は、前記指定話者変換条件選択手段によって選択された前記話速の変換率と前記再生音量の増幅率とを用いて前記受聴者によって指定された話者の話速と再生音量とを変換することを特徴とする請求項２に記載の話速変換装置。
【請求項４】
通信回線を介して他の通話装置と接続し、通信を行う通信手段と、
話者の発する声を集音する集音手段と、
前記他の通話装置からの音声を再生出力する音声出力手段と、
請求項１〜３のいずれか１つに記載の話速変換装置と、
を備えることを特徴とする通話装置。
【請求項５】
通話に参加する個々の話者の音声特徴を抽出する音声抽出処理を行い、受聴者によって指定された話者について抽出された音声特徴を記憶する音声特徴記憶処理を行い、現在の発話者の音声特徴を記憶された前記音声特徴と比較することによって前記発話者が、前記受聴者によって指定された話者の一人であるか否かを判定する話者判定処理を行い、判定の結果、前記受聴者によって指定された話者であると判定された場合に、前記発話者の受話音声の話速を変換する話速変換処理を行うことを特徴とする話速変換方法。
【請求項６】
前記受聴者によって指定された話者のそれぞれに対して設定された最適な話速の変換率を記憶する指定話者変換条件記憶処理を行い、
前記話速判定処理の前に前記話者判定処理によって判定された話者に対応する話速の変換率を、前記指定話者変換条件記憶処理で記憶した内容から選択する指定話者変換条件選択処理を行い、
前記話速変換処理では、前記指定話者変換条件選択処理で選択された前記話速の変換率を用いて前記受聴者によって指定された話者の話速を変換することを特徴とする請求項５に記載の話速変換方法。
【請求項７】
前記指定話者変換条件記憶処理では、前記受聴者によって指定された話者のそれぞれに対して設定された再生音量の増幅率をさらに記憶し、
前記指定話者変換条件選択処理では、前記話者判定処理によって判定された話者に対応する話速の変換率と再生音量の増幅率とを、前記指定話者変換条件記憶処理で記憶した内容から選択し、
前記話速変換処理では、前記指定話者変換条件選択処理で選択された前記話速の変換率と前記再生音量の増幅率とを用いて前記受聴者によって指定された話者の話速と再生音量とを変換することを特徴とする請求項６に記載の話速変換方法。
【発明の詳細な説明】
【技術分野】
【０００１】
本発明は、会議電話など、複数の拠点を接続して音声通話を行う通話装置に利用可能な話速変換装置および話速変換方法に関するものである。また、話速変換装置を有する通話装置にも関するものである。
【背景技術】
【０００２】
音声の音程を変えずにそのスピードを遅くまたは速く変換する話速変換の技術は従来から知られており、ＩＣ（Ｉｎｔｅｇｒａｔｅｄ  Ｃｉｒｃｕｉｔ）レコーダなどの音声再生装置を始め、電話機やテレビ、ラジオなどに広く利用されている。話速変換処理の内容は、たとえば（特許文献１）に示されている。
【０００３】
音声をゆっくりとした話速に変換する場合の一般的な処理構成について説明する。図１８は、従来の話速変換装置の構成を模式的に示すブロック図である。図１８において、２０１は音声信号のピッチ（基本周波数）を検出する音声ピッチ検出部、２０２は音声ピッチの周期単位で音声波形を切り出す挿入波形生成部、２０３は切り出されたピッチ波形を入力音声信号に定期的に挿入することにより時間軸方向に波形を伸張させる波形接続部である。基本周波数とその倍音で構成される音声の有声信号の波形は、ピッチ単位で周期的に同じ波形が繰り返される傾向があるので、この構成によって音程を変えずにゆっくりとした話速へ変換することが可能である。
【０００４】
話速変換処理を通話装置のように実時間の（遅延の許されない）音声送受信を行う装置に適用する場合を考える。たとえば、仮に受話音声の話速を一律に遅く変換して再生し続けると、受話音声が実際に発生された時間と話速変換後の再生時間との遅延が時間の経過と共に増大し、会話に著しい不具合を生じてしまう。そこで、このような装置に適用する場合には、従来から特別な工夫がなされている。その概念を、図６を参照しながら説明する。実時間の話速変換処理では、有音区間（受話信号に音声信号が存在する区間）は話速を遅くする変換を行い、無音区間（受話信号に音声信号が存在しない区間）は圧縮することによって、実際の発話時間からの遅延を少なくしている。
【０００５】
また、信号を接続する際は重複する区間を少しずつ設けてスムージングすることによって、歪みの発生を防止する。かかる話速変換処理を実行する装置を電話会議装置に搭載すると、早口で聞き取りにくい話者の音声をゆっくりとした聞き取りやすい話速に変換することが可能となる。また、国際会議などで外国語の会話を行う場合に、外国語の了解度が向上し、会議の円滑な進行に寄与する効果を期待できる。
【特許文献１】特開平５−２５７４９０号公報
【発明の開示】
【発明が解決しようとする課題】
【０００６】
しかしながら、上記従来の技術によれば、複数の話者が参加する電話会議などの用途で使用される通話装置に話速変換処理を適用すると、全ての話者の話速が遅く変換されてしまう。一般に、話速には個人差があって早口の話者は話速を遅く変換すると会話の了解度が向上するが、元々ゆっくりとした話速で、話速を変換する必要の無い話者の音声も一緒に変換されてしまうので、会話の了解度が損なわれてしまう場合があった。また、複数話者のうちで特定の話者が外国語を話す場合など、その話者の音声を選択的にゆっくりとした話速に変換したいという要望があるが、従来の構成では不可能であった。以上のように、従来の話速変換処理を複数の話者が参加する電話会議などに適用すると、必ずしもよい効果が得られないという問題があった。
【０００７】
このように、複数話者が参加できる通話装置に搭載される話速変換装置および話速変換方法では、話速が早い話者や外国語を話す話者など、特定話者の音声に対して最適な話速の変換率で話速変換を行うことが要求されている。
【０００８】
本発明は、上記に鑑みてなされたものであって、受聴者が指定した話者の音声だけを、使用者が最も好ましく感じる変換率で自動的に話速を変換することができる話速変換装置、通話装置および話速変換方法を提供することを目的とする。
【課題を解決するための手段】
【０００９】
上記課題を解決するために本発明は、通話に参加する個々の話者の音声特徴を抽出する音声特徴抽出手段と、受聴者によって指定された話者について抽出された音声特徴を記憶する音声特徴記憶手段と、現在の発話者の音声特徴を前記音声特徴記憶手段に記憶された前記音声特徴と比較することによって前記発話者が、前記受聴者によって指定された話者の一人であるか否かを判定する話者判定手段と、前記話者判定手段で前記受聴者によって指定された話者であると判定された場合に、前記発話者の受話音声の話速を変換する話速変換手段と、を備えたものである。
【００１０】
また、本発明は、通話に参加する個々の話者の音声特徴を抽出し、受聴者によって指定された話者について抽出された音声特徴を記憶し、現在の発話者の音声特徴を、記憶された音声特徴と比較することによって発話者が、受聴者によって指定された話者の一人であるか否かを判定する。この判定の結果、受聴者によって指定された話者であると判定された場合に、発話者の受話音声の話速を変換する話速変換処理を行うようにしたものである。
【発明の効果】
【００１１】
本発明によれば、受聴者が指定した話者の音声だけを、使用者が最も好ましく感じる変換率で自動的に話速を変換するようにしたので、複数の話者が参加する通話においても、受聴者による話者の発話内容の了解度を改善することのできる話速変換装置が得られる。また、受聴者が指定していない話者の音声については、話速が変換されることがないので、全体的に受聴者にとって、話者の発話内容の了解度を改善することのできる話速変換装置が得られる。
【００１２】
また、本発明によれば、受聴者が指定した話者の音声だけを、使用者が最も好ましく感じる変換率で自動的に話速を変換するようにしたので、複数の話者が参加する通話においても、受聴者による話者の発話内容の了解度を改善することのできる話速変換方法が得られる。また、受聴者が指定していない話者の音声については、話速が変換されることがないので、全体的に受聴者にとって、話者の発話内容の了解度を改善することのできる話速変換方法が得られる。
【発明を実施するための最良の形態】
【００１３】
第１の発明の話速変換装置は、通話に参加する個々の話者の音声特徴を抽出する音声特徴抽出手段と、受聴者によって指定された話者について抽出された音声特徴を記憶する音声特徴記憶手段と、現在の発話者の音声特徴を音声特徴記憶手段に記憶された音声特徴と比較することによって発話者が、受聴者によって指定された話者の一人であるか否かを判定する話者判定手段と、話者判定手段で受聴者によって指定された話者であると判定された場合に、発話者の受話音声の話速を変換する話速変換手段と、を備えたものであり、通話する話者が複数存在する場合でも、受聴者が指定した話者の音声のみが良好な話速に変換されるという作用を有する。
【００１４】
第２の発明の話速変換装置は、第１の発明において、受聴者によって指定された話者のそれぞれに対して設定された最適な話速の変換率を記憶する指定話者変換条件記憶手段と、話者判定手段によって判定された話者に対応する話速の変換率を、指定話者変換条件記憶手段から選択する指定話者変換条件選択手段と、をさらに備え、話速変換手段は、指定話者変換条件選択手段によって選択された話速の変換率を用いて受聴者によって指定された話者の話速を変換するものであり、受聴者が指定した通話する相手の話者ごとに話速の変換率を設定できるという作用を有する。
【００１５】
第３の発明の話速変換装置は、第２の発明において、指定話者変換条件記憶手段は、受聴者によって指定された話者のそれぞれに対して設定された再生音量の増幅率をさらに記憶し、指定話者変換条件選択手段は、話者判定手段によって判定された話者に対応する話速の変換率と再生音量の増幅率とを、指定話者変換条件記憶手段から選択し、話速変換手段は、指定話者変換条件選択手段によって選択された話速の変換率と再生音量の増幅率とを用いて受聴者によって指定された話者の話速と再生音量とを変換するものであり、受聴者が指定した通話する相手の話者ごとに、話速の変換率とともに再生音量の増幅率を設定できるという作用を有する。
【００１６】
また、本発明の第４の発明の通話装置は、通信回線を介して他の通話装置と接続し、通信を行う通信手段と、話者の発する声を集音する集音手段と、他の通話装置からの音声を再生出力する音声出力手段と、第１〜第３の発明のいずれか１つに記載の話速変換装置と、を備えたものであり、通話する話者が複数存在する場合でも、受聴者が指定した話者の音声のみが、良好な話速および／または再生音量に変換されるという作用を有する。
【００１７】
さらに、本発明の第５の発明の話速変換方法は、通話に参加する個々の話者の音声特徴を抽出する音声抽出処理を行い、受聴者によって指定された話者について抽出された音声特徴を記憶する音声特徴記憶処理を行い、現在の発話者の音声特徴を記憶された音声特徴と比較することによって発話者が、受聴者によって指定された話者の一人であるか否かを判定する話者判定処理を行い、判定の結果、受聴者によって指定された話者であると判定された場合に、発話者の受話音声の話速を変換する話速変換処理を行うものであり、通話する話者が複数存在する場合でも、受聴者が指定した話者の音声のみが良好な話速に変換されるという作用を有する。
【００１８】
第６の発明の話速変換方法は、受聴者によって指定された話者のそれぞれに対して設定された最適な話速の変換率を記憶する指定話者変換条件記憶処理を行い、話速判定処理の前に話者判定処理によって判定された話者に対応する話速の変換率を、指定話者変換条件記憶処理で記憶した内容から選択する指定話者変換条件選択処理を行い、話速変換処理では、指定話者変換条件選択処理で選択された話速の変換率を用いて受聴者によって指定された話者の話速を変換するものであり、受聴者が指定した通話する相手の話者ごとに話速の変換率を設定できるという作用を有する。
【００１９】
第７の発明の話速変換方法は、指定話者変換条件記憶処理では、受聴者によって指定された話者のそれぞれに対して設定された再生音量の増幅率をさらに記憶し、指定話者変換条件選択処理では、話者判定処理によって判定された話者に対応する話速の変換率と再生音量の増幅率とを、指定話者変換条件記憶処理で記憶した内容から選択し、話速変換処理では、指定話者変換条件選択処理で選択された話速の変換率と再生音量の増幅率とを用いて受聴者によって指定された話者の話速と再生音量とを変換するものであり、受聴者が指定した通話する相手の話者ごとに、話速の変換率とともに再生音量の増幅率を設定できるという作用を有する。
【００２０】
以下、本発明の実施の形態について説明する。
【００２１】
（実施の形態１）
この実施の形態１では、複数の話者が参加する電話会議などにおいて、発話者が誰であるかを判定し、判定結果を話者別に設定された話速変換率と照合して最適な話速変換率を決定し、話速変換部はその結果にしたがって、個々の発話者の話速を受聴者にとって好ましい話速に自動的で変換する話速変換装置、通話装置および話速変換方法について説明する。
【００２２】
図１は、本発明の実施の形態１における話速変換装置を備える通話装置の一例を示す斜視図であり、図２は、図１の通話装置の上面図である。これらの図１〜図２において、６０１は通話装置、６０２ａ〜６０２ｄは使用者の音声を集音するマイクロホン、６０３は受話音声を再生するスピーカ、６０４は相手側回線と接続する通信ケーブル、６０５は話速変換を適用する話者を使用者（特許請求の範囲における受聴者に対応する）が指定するための登録ボタン、６０６は話速変換を開始／終了するためのスロー再生ボタン、６０７は発信／着信の操作を行う操作ボタン、６０８は通話の状態などを表示する表示部である。ここで、スピーカは、特許請求の範囲における音声出力手段に対応し、マイクロホン６０２ａ〜６０２ｄは、同じく集音手段に対応している。
【００２３】
図３は、図１〜図２の通話装置で本発明の実施の形態１による話速変換装置が関係する部品の構成を模式的に示すブロック図である。この図３において、７０１は各種演算と周辺装置の制御を行うデジタルシグナルプロセッサ（Ｄｉｇｉｔａｌ  Ｓｉｇｎａｌ  Ｐｒｏｃｅｓｓｏｒ、以下、ＤＳＰという）、７０２は通信路インターフェース、７０３は操作インターフェース、７０４はメモリ、７０５はデジタル／アナログ（以下、Ｄ／Ａという）コンバータ、７０６はアナログ／デジタル（以下、Ａ／Ｄという）コンバータ、７０７はスピーカ、７０８はマイクロホン、７０１１は受話信号入力部、７０１２は音声信号出力部、７０１３は通信路、７０１４は受話信号路である。
【００２４】
この図３における通話装置での動作の概要について説明する。通話装置６０１の通信路インターフェース７０２は通信路７０１３の一端に接続されており、その通信路７０１３の他端に接続された図示しない別の通話装置と通話信号（音声信号）の送受信を行う。上記他端に接続された別の通話装置より送信された音声信号は、通信路７０１３から通信路インターフェース７０２および受話信号路７０１４を介して、受話信号入力部７０１１よりＤＳＰ７０１へ入力される。ＤＳＰ７０１では、受信した音声信号について、本実施の形態１による話速変換などの所定の処理が施される。
【００２５】
ここで、たとえば通信路７０１３で送受信される信号がＩＰ（Ｉｎｔｅｒｎｅｔ  Ｐｒｏｔｏｃｏｌ）パケットのようなデジタル化された信号である場合、通信路インターフェース７０２内で処理される信号はたとえばＰＣＭ（Ｐｕｌｓｅ−Ｃｏｄｅ  Ｍｏｄｕｌａｔｉｏｎ）のようなデジタル信号を用いて全て行われ、受話信号路７０１４は、通常、シリアルバスやパラレルバスとなる。また、通信路７０１３がたとえばＰＳＴＮ（Ｐｕｂｌｉｃ  Ｓｗｉｔｃｈｅｄ  Ｔｅｌｅｐｈｏｎｅ  Ｎｅｔｗｏｒｋｓ）のようなアナログ信号路である場合は、通信路インターフェース７０２かＤＳＰ７０１の内部にＡ／Ｄコンバータ７０６が必要となる。通信路インターフェース７０２にＡ／Ｄコンバータ７０６が含まれる場合、それ以降の処理は先ほどと同じくデジタル信号を用いて全て行われ、受話信号路７０１４は通常、シリアルバスやパラレルバスとなる。これに対して、ＤＳＰ７０１の内部にＡ／Ｄコンバータ７０６が内蔵される場合、受話信号路７０１４はアナログ信号線となる。
【００２６】
ＤＳＰ７０１で話速変換された受話音声は、Ｄ／Ａコンバータ７０５によりアナログ信号に変換され、スピーカ７０７から再生される。同様に使用者の送話音声はマイクロホン７０８で集音されてＡ／Ｄコンバータ７０６によってデジタル信号に変換されてＤＳＰ７０１に渡され、送話信号（音声信号）として通信路インターフェース７０２に送出される。
【００２７】
図４は、本発明の実施の形態１における話速変換装置の機能構成を模式的に示すブロック図である。この図４において、１０１は通話に参加する個々の話者の音声特徴を抽出する音声特徴抽出部、１０２は抽出された音声特徴を記憶する音声特徴記憶部、１０３は現在の発話者の音声を音声特徴記憶部１０２に記憶された音声特徴と比較することによってその発話者が、受聴者によって指定された話者の一人であるか否かを判定する話者判定部、１０４は話者判定部１０３で受聴者によって指定された話者であると判定された場合に、発話者の受話音声の話速を所定の速さに変換する話速変換部である。
【００２８】
本実施の形態１において、音声特徴記憶部１０２はメモリ７０４に対応し、音声特徴抽出部１０１、話者判定部１０３、および話速変換部１０４は、それぞれ図３のメモリ７０４に格納され、ＤＳＰ７０１上で動作するソフトウェアプログラムに対応している。つまり、話者判定部１０３と話速変換部１０４は、ＤＳＰ７０１が通信路インターフェース７０２より受信した受話音声を、メモリ７０４に記憶されているプログラムにしたがって演算して、Ｄ／Ａコンバータ７０５に出力することによって実現される。また、音声特徴抽出部１０１は、ＤＳＰ７０１が通信路インターフェース７０２より受信した受話音声から、メモリ７０４に記憶されているプログラムにしたがって演算して音声特徴量を取得することによって実現され、音声特徴記憶部１０２は、音声特徴抽出部１０１によって取得されたその音声特徴量がメモリ７０４に記憶されることによって実現される。
【００２９】
このように構成された実施の形態１の通話装置における受話音声の再生処理について説明する。図５は、本発明の実施の形態１における話速変換方法の手順の一例を示すフローチャートである。ここでは、前提として、通話装置は複数の話者が存在する他地点と接続して通話中（たとえば、電話会議中）であるものとする。
【００３０】
まず、通話装置６０１の使用者は、自分が話速変換して聞きたい相手側の話者の音声を指定する必要がある場合（ステップ１でＹｅｓの場合）には、そのような話者の発話中に、登録ボタン６０５を押下して通話装置６０１に音声特徴の登録を指示する。これにより、音声特徴抽出部１０１はその時点での受話音声の特徴量を算出し、音声特徴記憶部１０２に記憶する（ステップ２）。
【００３１】
このステップ２で抽出する音声特徴量は、一般に話者の認証に用いられる音声スペクトルやピッチ周波数、音声ホルマントの遷移情報などとする。たとえばスペクトルは音声信号のＦＦＴ（Ｆａｓｔ  Ｆｏｕｒｉｅｒ  Ｔｒａｎｓｆｏｒｍ）演算により、ピッチ周波数はケプストラム法や相関関数法により、音声ホルマントの時間遷移はスペクトルの概形を計算することによって抽出される。そして、話者判定処理のマッチング方法に適した形式に変換される。たとえば単語発声のスペクトル距離を計算するＤＰ（Ｄｙｎａｍｉｃ  Ｐｒｏｇｒａｍｍｉｎｇ）マッチング方式ではスペクトル情報の時系列データとして変換され、ＨＭＭ（Ｈｉｄｄｅｎ  Ｍａｒｋｏｖ  Ｍｏｄｅｌ）などの確率モデルによるマッチング方式では状態遷移の確率情報として変換される。
【００３２】
その後、またはステップ１で発声中の話者を話速変換して聞きたい相手として登録しない場合（ステップ１でＮｏの場合）で、使用者は、話速変換したい話者の登録を他に行う場合（ステップ３でＮｏの場合）には、ステップ１へと戻り、上述した処理が、話速変換したい話者をすべて登録するまで、繰り返される。
【００３３】
使用者による話速変換したい話者の登録が終了し（ステップ３でＹｅｓの場合）、通常の会話中に、使用者によってスロー再生ボタン６０６が押下されたか否かが通話装置６０１で判定される（ステップ４）。スロー再生ボタン６０６が押下された場合（ステップ４でＹｅｓの場合）には、通話装置６０１の音声特徴抽出部１０１は、受話音声の音声特徴量を算出し続ける（ステップ５）。
【００３４】
その後、話者判定部１０３は、ステップ５で算出した受話音声の音声特徴量について、音声特徴記憶部１０２に記憶されている音声特徴量との距離を計算し、その結果からステップ２で登録した話者の内の１人であるか否かの判定を行う（ステップ６）。つまり、音声特徴量との距離が閾値よりも小さければ（ステップ６でＹｅｓの場合）、現在受信中の受話音声を有する話者は、使用者が指定した話者であると判断し、話速変換部１０４にその旨のフラグを渡す。また、話者判定部１０３は、音声特徴量との距離が閾値以上であれば、現在受信中の受話音声を有する話者使用者が指定した話者ではないと判断し、話速変換部１０４にその旨のフラグを渡す。
【００３５】
話速変換部１０４は、話者判定部１０３から受け取ったフラグに基づいて、受話音声に対する処理を行う。すなわち、登録した話者の音声特徴に近い場合（ステップ６でＹｅｓの場合）には、話速変換部１０４は、受話音声をゆっくりと聞きやすい話速に変換して再生する（ステップ７）。一方、登録した話者の音声特徴に近くない場合（ステップ６でＮｏの場合）またはステップ４でスロー再生ボタン６０６が押下されていない場合（ステップ４でＮｏの場合）には、話速変換部１０４は、受話音声に対して話速の変換を行わず、所定の処理を行う。そして、ステップ１〜ステップ７の処理が、通話が終了するまで繰り返し実行される。
【００３６】
なお、以上の図５に示される処理において、話速変換したい話者を登録し、話速変換を行うか否かを設定するステップ１〜ステップ４の処理は使用者による操作処理が必要であり、ステップ５〜ステップ７の通話中の選択的な話速変換処理は通話装置６０１が設定内容に基づいて自動的に実行し続ける。
【００３７】
ここで、本実施の形態１におけるリアルタイム話速変換の概念について説明する。図６は、話速変換処理の動作概念を示す図である。この図６では、スロー再生ボタン６０６が押下されない「通常速度」モード（話速変換なし＝１００％）と、スロー再生ボタン６０６が押下された「ゆっくり」モードと、の２種類のモードが選択可能な場合を示している。
【００３８】
この図６に示されるように、「通常速度」モードに対して、「ゆっくり」モードが通常モード以上の話速変換率となるよう登録されている場合、有音区間は話者別に設定された変換率で音声信号を時間方向に伸張する。しかし、受話音声の話速を一律に遅く変換して再生し続けると、受話音声が実際に発生した時間に対する話速変換後の再生時間の遅延が、時間の経過と共に増大し、会話に著しい不具合を生じてしまう。そこで、無音区間を実際の発話タイミングに合わせて圧縮することによって、話速の変換率が異なる場合でも会話に支障ある大きな遅延を生じること無く話速変換を行うことができる。
【００３９】
つぎに、話速変換処理の具体的な実現方法について、図７〜図９を用いて説明する。図７は、本発明の実施の形態１における通話装置の使用時の構成の一例を示す図であり、図８は、本発明の実施の形態１における通話装置の使用時の構成の他の例を示す図であり、図９は、図７〜図８での話速変換処理の実際の動作例を示す図である。これらの例では、２台の通話装置が通信回線を介して接続され、音声通話による通話を行う場合を例示している。
【００４０】
図７において、６０１ａは話者Ａが使用する通話装置、６０１ｂは話者Ｂが使用する通話装置、１２０１ａ，１２０１ｂはゲートウェイ、１２０２はインターネットである。この図７に示される構成例では、２台の通話装置６０１ａ，６０１ｂはそれぞれ、ゲートウェイ１２０１ａ，１２０１ｂを介してインターネット１２０２に接続されている。また、この図７の場合では、通話装置６０１ａと通話装置６０１ｂとの間で送受信される音声の信号は、デジタル信号がパケット化されたデータである。
【００４１】
もちろん、実施の形態１における使用時の構成はこの限りではなく、たとえばゲートウェイ１２０１ａ，１２０１ｂには他の端末装置やハブ、ルータなどの通信機器が接続されていてもよい。また、ゲートウェイ１２０１ａと通話装置６０１ａとの間、またはゲートウェイ１２０１ｂと通話装置６０１ｂとの間にも他の端末装置やハブ、ルータなどの通信機器が接続されていてもよい。
【００４２】
図８において、１３０１ａ，１３０１ｂはそれぞれ通話装置６０１ａ，６０１ｂに接続される接続線、１３０２ａ，１３０２ｂはモデム、１３０３ａ，１３０３ｂは公衆回線網、１３０４ａ，１３０４ｂはそれぞれ通話装置６０１ａ，６０１ｂが所属するインターネットサービスプロバイダ（図中、ＩＳＰと表記）である。
【００４３】
この図８に示される構成例のように、通話装置６０１ａ，６０１ｂがそれぞれ、モデム１３０２ａ，１３０２ｂ、公衆回線網１３０３ａ，１３０３ｂ、インターネットサービスプロバイダ１３０４ａ，１３０４ｂなどを介してインターネット１２０２に接続されているものであってもよい。この場合、モデム１３０２ａと通話装置６０１ａとの間の接続線１３０１ａ上、およびモデム１３０２ｂと通話装置６０１ｂとの間の接続線１３０１ｂ上では、アナログ音声信号で送受信が行われ、モデム１３０２ａ，１３０２ｂにおいて音声信号のデジタル化および変復調が行われるようにしてもよい。また、接続線１３０１ａ，１３０１ｂがＬＡＮ（Ｌｏｃａｌ  Ａｒｅａ  Ｎｅｔｗｏｒｋ）ケーブルであって、既に通話装置６０１ａ，６０１ｂにおいてデジタル化された音声データのパケットが接続線１３０１ａ，１３０１ｂ上を伝送する場合には、モデム１３０２ａ，１３０２ｂにおいては変復調のみが行われるようにしてもよい。
【００４４】
なお、図７や図８の構成は一例であり、図７に示す構成と図８に示す構成とが混在している状態であってもよいし、図８のモデム１３０２ａ，１３０２ｂとが１つの同じ公衆回線のみを介して接続される構成を有していてもよい。
【００４５】
また、本実施の形態１における通話装置６０１ａ，６０１ｂは、その通話装置６０１ａ，６０１ｂに内蔵されたマイクロホン（図２における通話装置６０１のマイクロホン６０２ａ〜６０２ｄに相当）に入力される当該通話装置６０１ａ，６０１ｂの使用者の音声については、その通話装置６０１ａ，６０１ｂに内蔵されたスピーカ（図２における通話装置６０１のスピーカ６０３に相当）には出力しないようにしている。これは、内蔵マイクロホンに入力された当該通話装置６０１ａ，６０１ｂの使用者の音声を当該通話装置６０１ａ，６０１ｂのスピーカから出力するようにした場合、ハウリングを起こしやすいためである。しかしながら、もしハウリングが発生しないような装置を構成することができるのであれば、内蔵マイクロホンに入力された当該通話装置６０１ａ，６０１ｂの使用者の音声を当該通話装置６０１ａ，６０１ｂのスピーカから出力するようにしてもよい。
【００４６】
以上のような構成における実際の話速変換処理の動作例について図９を参照しながら説明する。ここで、話者Ａは図７の通話装置６０１ａを使用し、話者Ｂは通話装置６０１ｂを使用する。また、図９の動作を開始する前に、話者Ａは上述したように登録ボタン（図２における通話装置６０１の登録ボタン６０５に相当）を押下し、図５のフローチャートにおけるステップ１〜ステップ３にしたがって、通話装置６０１ａに話者Ｂの音声特徴の登録を行い、さらにスロー再生ボタン（図２における通話装置６０１のスロー再生ボタン６０６に相当）を押下し、通話装置６０１ａにおいて話者Ｂの音声特徴量の算出が行われているものとする。
【００４７】
図９において１４１１と１４１３に示すように、通話装置６０１ａにおいて話者Ａから話者Ｂへ話しかけている音声の速さと、通話装置６０１ｂから話者Ｂに届く話者Ａの音声の速さは同じである。これは、話者Ｂ側の通話装置６０１ｂにおいて話者Ａの音声特徴の登録が行われていないか、または登録されていたとしても話者Ｂ側の通話装置６０１ｂのスロー再生ボタン６０６の押下が行われておらず、通話装置６０１ｂにおいて音声特徴量の算出が行われていないためである。
【００４８】
前者の場合、話者Ｂ側の通話装置６０１ｂに搭載された図５のフローチャートに示すプログラムの処理状態は、判定時点では音声特徴の登録を行っていないので、ステップ１（Ｎｏ）→ステップ３（Ｙｅｓ）→ステップ４へと移行する。そこで、スロー再生ボタン６０６の押下が行われていればステップ４（Ｙｅｓ）→ステップ５→ステップ６の順に移行する。しかし、ステップ６において図４の話者判定部１０３が音声特徴抽出部１０１からの信号により「Ｎｏ」と判定する。すなわち、音声特徴が音声特徴記憶部１０２に登録されていないので、話者判定部１０３は、登録した話者の音声特徴に近いとは判定しない。そのため、判定結果を受けた図４の話速変換部１０４は通話装置６０１ａから送られてくる音声信号の話速変換を行わない。その後、通話装置６０１ｂに搭載された図５のフローチャートを実行するプログラムの処理状態は、ステップ６（Ｎｏ）からステップ１へと移行する。
【００４９】
また後者の場合、話者Ｂ側の通話装置６０１ｂに搭載された図５のフローチャートに示すプログラムの処理状態は、判定時点では音声特徴の登録が行われているので、まずはステップ１（Ｙｅｓ）→ステップ２→ステップ３（Ｙｅｓ）→ステップ４へと移行する。しかしながら、スロー再生ボタン６０６の押下が行われていないので、ステップ４で「Ｎｏ」と判定されてステップ１へと移行する。以上に示す状態遷移を、通話装置６０１ｂに搭載された図５のフローチャートに示すプログラムは繰り返し行っている。
【００５０】
これに対し、通話装置６０１ａから話者Ａに聞こえている音声１４１２ａ，１４１４ａは、通話装置６０１ｂにおいて話者Ｂが話者Ａへ話しかけている音声１４１２ｂ，１４１４ｂよりもゆっくりとした速さとなる。これは、話者Ａ側の通話装置６０１ａにおいて話者Ｂの音声特徴の登録が行われ、話者Ａ側の通話装置６０１ａのスロー再生ボタン６０６の押下が行われ、通話装置６０１ａにおいて音声特徴量の算出が行われているためである。
【００５１】
この処理状態を図５に示すフローチャートを用いて説明すると以下のようになる。話者Ｂから話者Ａへ話しかけていないとき、すなわち区間１４０１，１４０３で示される状態にあるとき、通話装置６０１ａに搭載された図５のフローチャートに示すプログラムの処理状態は、判定時点では音声特徴の登録を行っていないのでステップ１（Ｎｏ）→ステップ４へと移行する。また、スロー再生ボタン６０６の押下が行われているのでステップ４（Ｙｅｓ）→ステップ５→ステップ６の順に移行する。ステップ６において図４の話者判定部１０３が音声特徴抽出部１０１からの信号と音声特徴記憶部１０２のデータを比較した結果「Ｎｏ」と判定するので、その判定結果を受けた話速変換部１０４は通話装置６０１ｂから送られてくる音声信号の話速変換を行わない。その後、通話装置６０１ａに搭載された図５のフローチャートに示すプログラムの処理状態は、ステップ６（Ｎｏ）からステップ１へと移行する。以上に示す状態遷移を、通話装置６０１ａに搭載された図５のフローチャートに示すプログラムは繰り返し行っている。
【００５２】
ついで、話者Ｂから話者Ａへ話しかけるとき（区間１４０２，１４０４で示される状態にあるとき）、すなわち図９における音声１４１２ｂまたは１４１４ｂが通話装置６０１ｂから通話装置６０１ａへ伝達されているとき、通話装置６０１ａに搭載された図５のフローチャートに示すプログラムの処理状態は、先程と同様にステップ１（Ｎｏ）→ステップ３（Ｙｅｓ）→ステップ４（Ｙｅｓ）→ステップ５→ステップ６の順に移行する。そして、ステップ６で図４の話者判定部１０３が音声特徴抽出部１０１からの信号と音声特徴記憶部１０２のデータを比較した結果、「話者Ｂである」、すなわちステップ６で「Ｙｅｓ」と判定し、ステップ７へと状態が遷移する。その判定結果を受けた図４の話速変換部１０４は通話装置６０１ｂから送られてくる話者Ｂの音声信号１４１２ｂまたは１４１４ｂの話速変換を行い、それぞれ１４１２ａまたは１４１４ａとする。その後、通話装置６０１ａに搭載された図５のフローチャートに示すプログラムの処理状態は、ステップ６からステップ１へと移行する。
【００５３】
通話装置６０１ａにおいて、通話装置６０１ｂから送られてくる話者Ｂの音声信号の話速変換速度をどれくらいにするかについては、通話装置６０１ａの使用者がメニュー画面などでの設定において予め決められるようにしてもよいし、通話装置６０１ａの設計段階で装置の製造者が予め所定の話速変換速度に決めてもよい。
【００５４】
なお、本実施の形態１においては、話者Ａのみが話者Ｂの音声特徴の登録を行った後スロー再生ボタン６０６を押下している場合について説明したが、以上のような音声特徴の登録とスロー再生ボタン６０６の押下は話者Ａに限らず話者Ｂも実施してよい。また、上述した例では、通話装置６０１が２台接続された場合を例に挙げたが、通話装置６０１を３台以上用いてもよいし、ある通話装置６０１において複数の話者が話す場合においても、他の通話装置６０１がその複数のうちの任意の話者の音声特徴を登録し、話速変換を行うことも可能である。
【００５５】
以上のように本実施の形態１では、受話音声の音声信号から音声特徴を抽出する音声特徴抽出部１０１と、音声特徴抽出部１０１で抽出した音声特徴が登録された話者のものか否かを判定する話者判定部１０３と、登録された話者のものである場合にその音声信号の話速を所定の話速に変換する話速変換部１０４と、を設けることにより、複数の話者が参加する通話において、早口の話者や外国語を話す話者など、受聴者が指定する話者の音声のみが適当な速さに変換される。その結果、受聴者によるそれら話者の発話内容の了解度が改善されるという効果を有する。一方で、受聴者が指定していない話者の音声は話速変換が適用されないため、変換が逆効果となって、つまり遅い話者の音声がさらに遅くなるなど、会話の了解度が低下することを回避することができるという効果も有する。
【００５６】
（実施の形態２）
図１０は、本発明の実施の形態２における話速変換装置が関係する部分の構成を模式的に示すブロック図である。この図１０において、実施の形態１と同様に、１０１は通話に参加する個々の話者の音声特徴を抽出する音声特徴抽出部、１０２は抽出された音声特徴を記憶する音声特徴記憶部、１０３は現在の発話者の音声を音声特徴記憶部１０２に記憶された音声特徴と比較することによってその発話者が、受聴者によって指定された話者の一人であるか否かを判定する話者判定部、１０４は話者判定部１０３の判定結果を受けて受話音声の話速を変換する話速変換部である。
【００５７】
また、１０５は個々の話者に対して設定された最適な話速の変換率を記憶する話者・話速対応記憶部、１０６は話者判定部１０３によって判定された話者に対応する話速の変換率を、話者・話速対応記憶部１０５から選択する話速選択部である。ここで、音声特徴記憶部１０２に記憶された音声特徴と、話者・話速対応記憶部１０５に記憶された話速の変換率とは、たとえば音声特徴の対象となる話者に対して付される話者識別情報などによって関連付けされている。また、話速変換部１０４は、話速選択部１０６によって選択された話速変換率に基づいて対応する話者の話速を変換する。なお、特許請求の範囲における指定話者変換条件記憶手段は話者・話速対応記憶部１０５に相当し、同じく指定話者変換条件選択手段は、話速選択部１０６に相当する。なお、本実施の形態２による話速変換装置を備える通話装置の構成については、実施の形態１の図１〜図３に示したものと同様であるので、その説明を省略する。
【００５８】
本実施の形態２において、音声特徴記憶部１０２と話者・話速対応記憶部１０５は、図３におけるメモリ７０４に対応する。また、話者判定部１０３、話速変換部１０４、話速選択部１０６は、それぞれ図３のＤＳＰ７０１上で動作するソフトウェアプログラムとして、メモリ７０４に格納されている。つまり、話者判定部１０３と話速変換部１０４と話速選択部１０６は、ＤＳＰ７０１が通信路インターフェース７０２より受信した受話音声をメモリ７０４に記憶されているプログラムにしたがって演算してＤ／Ａコンバータ７０５に出力することにより実現される。また、音声特徴抽出部１０１は、ＤＳＰ７０１が通信路インターフェース７０２より受信した受話音声から、メモリ７０４に記録されているプログラムにしたがって演算して音声特徴量を取得することによって実現され、音声特徴記憶部１０２は、音声特徴抽出部１０１によって取得されたその音声特徴量がメモリ７０４に記憶されることによって実現される。さらに、話者・話速対応記憶部１０５は、話速変換率を登録した音声特徴に対応付けてメモリ７０４に記憶することで実現される。
【００５９】
このように構成された本発明の実施の形態２の話速変換装置を有する通話装置における動作を説明する。図１１は、本発明の実施の形態２における話速変換方法の手順の一例を示すフローチャートである。ここでは、図５と同様に、前提として、通話装置は複数の話者が存在する他地点と接続して通話中であるものとする。
【００６０】
まず、通話装置の使用者は、自分が話速変換して聞きたい相手側の話者の音声を指定する必要がある場合（ステップ２１でＹｅｓの場合）には、そのような話者の発話中に、使用者は登録ボタン６０５を押下して通話装置６０１に音声特徴の登録を指示する。
【００６１】
続いて、使用者は適当な話速の変換率をたとえば操作ボタン６０７などの入力部を介して指定すると（ステップ２２）、話速変換部１０４は指定された変換率で話速を変換する（ステップ２３）。使用者は変換された音声を聞き、話速が適当であるかを判断し（ステップ２４）、適当でない場合（ステップ２４でＮｏの場合）には、再びステップ２２へと戻り、話速が適当となるまで、話速の変換率を変えて上述した処理を繰り返し実行する。
【００６２】
その後、または話速が適当である場合（ステップ２４でＹｅｓの場合）には、音声特徴抽出部１０１は、現在の音声特徴量を算出し、音声特徴記憶部１０２に記憶するとともに、設定された話速変換率をその音声特徴量に対応付けして話者・話速対応記憶部１０５に記憶する（ステップ２５）。この音声特徴量の実現形態は実施の形態１で説明したものと同様である。
【００６３】
その後、またはステップ２１で発声中の話者を話速変換して聞きたい相手として登録しない場合（ステップ２１でＮｏの場合）で、使用者は、話速変換したい話者の登録を他に行う場合（ステップ２６でＮｏの場合）には、ステップ２１へと戻り、上述した処理が、話速変換したい話者をすべて登録するまで、繰り返される。
【００６４】
使用者によって、話速変換したい話者の登録が終了し（ステップ２６でＹｅｓの場合）、通常の会話中に、使用者によってスロー再生ボタン６０６が押下されたか否かが通話装置６０１で判定される（ステップ２７）。スロー再生ボタン６０６が押下された場合（ステップ２７でＹｅｓの場合）には、通話装置６０１の音声特徴抽出部１０１は、受話音声の音声特徴量を算出し続ける（ステップ２８）。
【００６５】
その後、話者判定部１０３は、ステップ２８で算出した受話音声の音声特徴量について、音声特徴記憶部１０２に記憶されている全ての話者の音声特徴量との距離を計算し、その結果からステップ２５で登録した話者の内の１人であるか否かの判定を行う（ステップ２９）。つまり、音声特徴量との距離が閾値よりも小さければ（ステップ２９でＹｅｓの場合）、話者判定部１０３は、話者がステップ２５で登録した話者に一致すると判定し、話速選択部１０６は、一致した話者に関連付けて登録してある話者・話速対応記憶部１０５中の話速変換率をロードする（ステップ３０）。そして、話速変換部１０４は、話速選択部１０６によってロードされた話速変換率で受話音声を変換して再生する（ステップ３１）。
【００６６】
一方、音声特徴量との距離が閾値以上である場合（ステップ２９でＮｏの場合）、またはスロー再生ボタン６０６が押下されていない場合（ステップ２７でＮｏの場合）には、話者判定部１０３は、使用者が指定した話者ではないと判断し、話速選択部１０６は、通常の速度で受話音声を再生することを話速変換部１０４に指示する。そして、話速変換部１０４は、受話音声に対して話速の変換を行わず、所定の処理を行う。そして、ステップ２１〜ステップ３１の処理が、通話が終了するまで繰り返し実行される。このような処理を行うことにより、通話する相手側のどの話者が発声しても使用者が話者別に設定した変換率で常に良好な話速変換を適用できる効果作用を有している。
【００６７】
図１２は、本発明の実施の形態２における複数の話者の話速設定によるリアルタイム話速変換の概念図である。この図１２では、ある話者の話速について、話者１は１１０％、話者２は１２０％、話者３は１３０％、・・・、という具合に受聴者（話者１、話者２、話者３、・・・）で異なる話速が登録される場合を示している。この図に示されるように、有音区間は受聴者別に設定された変換率で音声信号を時間方向に伸張し、無音区間を実際の発話タイミングに合わせて圧縮することによって、話速の変換率が異なる場合でも会話に支障のある大きな遅延を生じること無く話速変換を行うことができる。
【００６８】
つぎに、本実施の形態２における話速変換処理の具体的な実現方法について、図１３〜図１４を用いて説明する。図１３は、本発明の実施の形態２における通話装置の使用時の構成の一例を示す図であり、図１４は、図１３での話速変換処理の実際の動作例を示す図である。図１３において、６０１ｃ〜６０１ｆは、それぞれ話者Ｃ〜Ｆが使用する通話装置、１２０１ｃ〜１２０１ｆは、それぞれ通話装置６０１ｃ〜６０１ｆとインターネット１２０２とを接続するゲートウェイである。なお、実施の形態１の図７と図８で用いたものと同一の構成要素には同一の符号を付してその説明を省略している。
【００６９】
この図１３の例では、４台の通話装置６０１ｃ〜６０１ｆの間で通話する場合を想定している。また、図１３の構成の場合には、通話装置６０１ｃ〜６０１ｆの間で送受信される音声の信号は、デジタル信号がパケット化されたデータである。
【００７０】
もちろん、実施の形態２における使用時の構成はこの限りではなく、実施の形態１に示したように、任意の方法で通話装置６０１ｃ〜６０１ｆ間を接続することが可能である。その方法は、既に実施の形態１で説明したので、ここでは省略する。また、本実施の形態２における通話装置６０１ｃ〜６０１ｆのマイクロホン７０８とスピーカ７０７においても、ハウリングが発生しないような構造とされるのは、実施の形態１に示したのと同様である。
【００７１】
以上のような構成における実際の話速変換処理の動作例について図１４を参照しながら説明する。ここで、話者Ｃは図１３の通話装置６０１ｃを使用し、話者Ｄは通話装置６０１ｄを使用し、話者Ｅは通話装置６０１ｅを使用し、話者Ｆは通話装置６０１ｆを使用する。また、図１４の動作を開始する前に、話者Ｆのみが上述したように登録ボタン（図２における通話装置６０１の登録ボタン６０５に相当）を押下し、図１１のフローチャートにおけるステップ２１〜ステップ２６にしたがって、通話装置６０１ｆに対し話者Ｃ〜Ｅの話速変換率と音声特徴の登録を行い、さらにスロー再生ボタン（図２における通話装置６０１のスロー再生ボタン６０６に相当）を押下し、通話装置６０１ｆにおいて音声特徴量の算出と、話者の特定と、話速の選択が行われているものとする。
【００７２】
図１４では省略しているが、通話装置６０１ｆにおいて話者Ｆから話者Ｃ〜Ｅへ話しかけている音声の速さと、通話装置６０１ｃ〜６０１ｅからそれぞれ話者Ｃ〜Ｅに聞こえている話者Ｆの音声の速さはそれぞれ同じである。これは実施の形態１の図９における１４１１と１４１３と同様に、話者Ｃ〜Ｅ側の通話装置６０１ｃ〜６０１ｅにおいて話者Ｆの話速変換率と音声特徴の登録が行われていないか、または登録されていても話者Ｃ〜Ｅ側の通話装置６０１ｃ〜６０１ｅのスロー再生ボタン６０６の押下が行われておらず、通話装置６０１ｃ〜６０１ｅにおいて音声特徴量の算出と話者の特定と話速の選択が行われていないためである。
【００７３】
前者の場合、通話装置６０１ｃ〜６０１ｅに搭載された図１１のフローチャートに示す各プログラムの処理状態は、判定時点では音声特徴の登録を行っていないのでステップ２１（Ｙｅｓ）→ステップ２６（Ｙｅｓ）→ステップ２７へと移行する。そこで、スロー再生ボタン６０６の押下が行われていれば、ステップ２７（Ｙｅｓ）→ステップ２８→ステップ２９の順に移行する。ステップ２９において、通話装置６０１ｃ〜６０１ｅの各話者判定部１０３が各音声特徴抽出部１０１からの信号により「Ｎｏ」と判定するので、各話速選択部１０６を介して、その判定結果を受けた通話装置６０１ｃ〜６０１ｅの各話速変換部１０４は、通話装置６０１ｆから送られてくる音声信号の話速変換を行わない。その後、通話装置６０１ｃ〜６０１ｅに搭載された図１１のフローチャートを実行する各プログラムの処理状態は、それぞれステップ２９（Ｎｏ）からステップ２１へと移行する。
【００７４】
また後者の場合、通話装置６０１ｃ〜６０１ｅに搭載された図１１のフローチャートに示す各プログラムの処理状態は、判定時点では音声特徴の登録が行われているので、まずはステップ２１（Ｎｏ）→ステップ２６（Ｙｅｓ）→ステップ２７へと移行する。しかしながら、スロー再生ボタン６０６の押下が行われていないので、ステップ２７において「Ｎｏ」と判定されてステップ２１へと移行する。以上に示す状態遷移を、通話装置６０１ｃ〜６０１ｅに搭載された図１１のフローチャートに示す各プログラムは、それぞれ繰り返し行っている。なお、通話装置６０１ｃ〜６０１ｅにおいて、それぞれに搭載された図１１のフローチャートに示す各プログラムの各ステップを互いに同期させて動作させる必要は無い。
【００７５】
これに対し、通話装置６０１ｆから話者Ｆに聞こえている話者Ｃ〜Ｅのそれぞれの音声１６２１〜１６２３は、通話装置６０１ｃ〜６０１ｅにおいてそれぞれの話者Ｃ〜Ｅから話者Ｆへ話しかけている各音声１６１１〜１６１３よりもゆっくりとした速さとなる。この各話者Ｃ〜Ｅの音声速度は、話者（受聴者）Ｆの登録段階（ステップ２１〜ステップ２６）においてそれぞれ設定されたものとなる。これは、話者Ｆ側の通話装置６０１ｆにおいて話者Ｃ〜Ｅの音声速度および音声特徴の登録が行われ、話者Ｆ側の通話装置６０１ｆのスロー再生ボタン６０６の押下が行われて、通話装置６０１ｆにおいて音声特徴量の算出と、話者の特定と、話速の選択が行われているためである。
【００７６】
この処理状態を図１１に示すフローチャートを用いて説明すると以下のようになる。話者Ｃ〜Ｅのいずれもが話者Ｆへ話しかけていないとき、通話装置６０１ｆに搭載された図１１のフローチャートに示すプログラムの処理状態は、判定時点では音声特徴の登録を行っていないので、ステップ２１（Ｙｅｓ）→ステップ２６（Ｙｅｓ）→ステップ２７へと移行する。また、スロー再生ボタン６０６の押下が行われているので、ステップ２７（Ｙｅｓ）→ステップ２９の順に移行する。ステップ２９で図４の話者判定部１０３が音声特徴抽出部１０１からの信号と音声特徴抽出部１０１からの信号と音声特徴記憶部１０２のデータを比較した結果「Ｎｏ」と判定するので、その判定結果を受けた話速変換部１０４は通話装置６０１ｃ〜６０１ｅから送られてくる音声信号の話速変換を行わない。
【００７７】
その後、通話装置６０１ｆに搭載された図１１のフローチャートに示すプログラムの処理状態は、ステップ２９（Ｎｏ）からステップ２１へと移行する。以上に示す状態遷移を、通話装置６０１ｆに搭載された図１１のフローチャートに示すプログラムは繰り返し行っている。
【００７８】
これに対して、たとえば話者Ｃが話者Ｆへ話しかけているとき（図１４の区間１６０１で示される状態にあるとき）、すなわち図１４における音声１６１１が通話装置６０１ｃから通話装置６０１ｆへ伝達されているとき、通話装置６０１ｆに搭載された図１１のフローチャートに示すプログラムの処理状態は、判定時点では音声特徴の登録を行っていないので、ステップ２１（Ｙｅｓ）→ステップ２６（Ｙｅｓ）→ステップ２７へと移行する。
【００７９】
また、スロー再生ボタン６０６の押下が行われているので、通話装置６０１ｆに搭載された図１１のフローチャートに示すプログラムの処理状態は、ステップ２７において「Ｙｅｓ」と判定し、ステップ２８→ステップ２９の順に移行する。ステップ２９において通話装置６０１ｆの話者判定部１０３が音声特徴抽出部１０１からの信号と音声特徴記憶部１０２のデータを比較した結果、「話者Ｃである」、すなわちステップ２９で「Ｙｅｓ」と判定し、ステップ３０→ステップ３１の順に状態が遷移する。つまり、ステップ２９で「Ｙｅｓ」の判定結果を受けた通話装置６０１ｆの話速変換部１０４は、ステップ３０において、話者・話速対応記憶部１０５から話速選択部１０６を介して話者Ｃに対応する話速変換率（１１０％）をロードし、ステップ３１において通話装置６０１ｃから送られてくる話者Ｃの音声信号１６１１の話速変換を行って１６２１とする。その後、通話装置６０１ｆに搭載された図１１のフローチャートに示すプログラムの処理状態は、ステップ３１からステップ２１へと移行する。以上に述べた処理は、話者Ｄ，Ｅの音声１６１２，１６１３についても同様に行われ、話者Ｆにはそれぞれ１２０％に変換された再生音声１６２２、１３０％に変換された再生音声１６２３のように聞こえるようになる。
【００８０】
なお、本実施の形態２においては、話者Ｆのみが他の話者Ｃ〜Ｅの話速変換率と音声特徴の登録を行った後に、スロー再生ボタン６０６を押下している場合について説明したが、以上のような話速変換率と音声特徴の登録とスロー再生ボタン６０６の押下は話者Ｆに限らず他の話者Ｃ〜Ｅが実施してもよいし、複数の話者が同時に実施してもよい。また、通話装置６０１を２〜３台用いても、５台以上用いてもよいし、ある通話装置６０１において複数の話者が話す場合においても、他の通話装置６０１がその複数の話者の音声特徴と話速変換率を登録し、それぞれの話者に適した話速変換を行うことも可能である。
【００８１】
以上のように本実施の形態２では、音声特徴を記憶した話者に対応して設定した話速変換率を話者・話速対応記憶部１０５に記憶し、話速選択部１０６が話者判定部１０３によって判定された話者に対応する話速変換率を抽出し、これに基づいて話速変換部１０４が受話音声を変換するようにしたので、複数の話者が参加する通話において、受話者の感覚に応じた速さで他の話者の発話内容を聞くことができ、その了解度が改善される。一方で、受聴者が指定していない話者の音声は話速変換が適用されないため、変換が逆効果となって会話の了解度が低下することを回避することもできる。
【００８２】
（実施の形態３）
図１５は、本発明の実施の形態３における話速変換装置が関係する部分の構成を模式的に示すブロック図である。この図１５において、実施の形態１と同様に、１０１は通話に参加する個々の話者の音声特徴を抽出する音声特徴抽出部、１０２は抽出された音声特徴を記憶する音声特徴記憶部、１０３は現在の発話者の音声を音声特徴記憶部１０２に記憶された音声特徴と比較することによってその発話者が、受聴者によって指定された話者の一人であるか否かを判定する話者判定部、１０４は話者判定部１０３の判定結果を受けて受話音声の話速を変換する話速変換部である。
【００８３】
また、１０７は個々の話者に対して設定された最適な話速の変換率と再生音量の増幅率とを記憶する話者・話速・音量対応記憶部、１０８は話者判定部１０３によって判定された話者に対応する話速の変換率と再生音量の増幅率を、話者・話速・音量対応記憶部１０７から選択する話速・音量選択部である。ここで、音声特徴記憶部１０２に記憶された音声特徴と、話者・話速・音量対応記憶部１０７に記憶された話速の変換率と再生音量の増幅率とは、たとえば音声特徴の対象となる話者に対して付される話者識別情報などによって関連付けされている。また、話速変換部１０４は、話速・音量選択部１０８によって選択された話速変換率と再生音量の増幅率に基づいて対応する話者の話速と再生音量を変換する。なお、特許請求の範囲における指定話者変換条件記憶手段は話者・話速・音量対応記憶部１０７に相当し、同じく指定話者変換条件選択手段は、話速・音量選択部１０８に相当する。
【００８４】
このような構成によって、話速変換部１０４が、話速・音量選択部１０８から受け取った変換率で話速を変換すると同時に音量も変換することによって、話者の発話距離や声の大きさによらず、個々の話者の音声が受聴者の好みの音量と話速に自動的に変換される。なお、本実施の形態３による話速変換装置を備える通話装置の構成については、実施の形態１の図１〜図３に示したものと同様であるので、その説明を省略する。
【００８５】
本実施の形態３において、音声特徴記憶部１０２と話者・話速・音量対応記憶部１０７は、図３におけるメモリ７０４に対応する。また、話者判定部１０３、話速変換部１０４、話速・音量選択部１０８は、それぞれ図３のＤＳＰ７０１上で動作するソフトウェアプログラムとして、メモリ７０４に格納されている。つまり、話者判定部１０３と話速変換部１０４と話速・音量選択部１０８は、ＤＳＰ７０１が通信路インターフェース７０２より受信した受話音声をメモリ７０４に記憶されているプログラムにしたがって演算してＤ／Ａコンバータ７０５に出力することにより実現される。また、音声特徴抽出部１０１は、ＤＳＰ７０１が通信路インターフェース７０２より受信した受話音声から、メモリ７０４に記録されているプログラムにしたがって演算して音声特徴量を取得することによって実現され、音声特徴記憶部１０２は、音声特徴抽出部１０１によって取得されたその音声特徴量がメモリ７０４に記憶されることによって実現される。さらに、話者・話速・音量対応記憶部１０７は、話速変換部１０４によって変換される話速変換率と再生音量の増幅率を、登録した音声特徴に対応付けてメモリ７０４に記憶することで実現される。
【００８６】
このように構成された本発明の実施の形態３の話速変換装置を有する通話装置における動作を説明する。図１６は、本発明の実施の形態３における話速変換方法の手順の一例を示すフローチャートである。ここでも、実施の形態１の図５や実施の形態２の図１１と同様に、前提として、通話装置は複数の話者が存在する他地点と接続して通話中であるものとする。
【００８７】
実施の形態２の図１１のステップ２１〜ステップ２４と同様に、通話装置６０１の使用者は、自分が話速変換して聞きたい相手側の話者の音声の話速変換率を指定する（ステップ４１〜ステップ４４）。その後、使用者は適当な音量を指定すると（ステップ４５）、話速変換部１０４は指定された音量に増幅する。使用者は、増幅された音声を聞き、音量が適当であるかを判断し（ステップ４６）、適当でない場合（ステップ４６でＮｏの場合）には、再びステップ４５へと戻り、音量が適当となるまで、受話音量を変えて上述した処理を繰り返し実行する。
【００８８】
音量が適当である場合（ステップ４６でＹｅｓの場合）には、音声特徴抽出部１０１は、現在の音声特徴量を算出し、音声特徴記憶部１０２に記憶するとともに、設定された話速変換率と音量をその音声特徴量に対応付けして話者・話速・音量対応記憶部１０７に記憶する（ステップ４７）。この音声特徴量の実現形態は実施の形態１で説明したものと同様である。
【００８９】
その後、またはステップ４１で発声中の話者を話速変換および／または音量変換して聞きたい相手として登録しない場合（ステップ４１でＮｏの場合）で、使用者は、話速変換および／または音量変換したい話者の登録を他に行う場合（ステップ４８でＮｏの場合）には、ステップ４１へと戻り、上述した処理が、話速変換および／または音量変換したい話者をすべて登録するまで、繰り返される。
【００９０】
使用者によって、話速変換および／または音量変換したい話者の登録が終了し（ステップ４８でＹｅｓの場合）、通常の会話中に、使用者によってスロー再生ボタン６０６が押下されたか否かが判定される（ステップ４９）。スロー再生ボタン６０６が押下された場合（ステップ４９でＹｅｓの場合）には、通話装置６０１の音声特徴抽出部１０１は、受話音声の音声特徴量を算出し続ける（ステップ５０）。
【００９１】
その後、話者判定部１０３は、音声特徴記憶部１０２に記憶されている全ての話者の音声特徴量との距離を計算し、その結果からステップ４７で登録した話者の内の１人であるか否かの判定を行う（ステップ５１）。つまり、音声特徴量との距離が閾値よりも小さければ（ステップ５１でＹｅｓの場合）、話速・音量選択部１０８は、一致した話者に関連付けしてある話者・話速・音量対応記憶部１０７中の話速変換率と再生音量の増幅率をロードする（ステップ５２）。そして、話速変換部１０４は、話速・音量選択部１０８によってロードされた話速変換率と再生音量の増幅率で受話音声を変換して再生する（ステップ５３）。
【００９２】
一方、音声特徴量との距離が閾値以上であれば（ステップ５１でＮｏの場合）またはスロー再生ボタン６０６が押下されていない場合（ステップ４９でＮｏの場合）には、話者判定部１０３は、使用者が指定した話者ではないと判断し、話速・音量選択部１０８は、通常の速度と音量で受話音声を再生することを話速変換部１０４に指示する。そして、話速変換部１０４は、受話音声に対して話速や音量の変換を行わず、所定の処理を行う。そして、ステップ４１〜ステップ５３の処理が、通話が終了するまで繰り返し実行される。このような処理を行うことにより、通話する相手側のどの話者が発声しても使用者が話者別に設定した変換率と再生音量の変換率で、常に良好な話速変換と再生処理を行うことができる。
【００９３】
つぎに、本実施の形態３における話速変換処理の具体的な実現方法について、図１３と図１７説明する。図１７は、図１３での話速変換処理の実際の動作例を示す図である。ここでは、実施の形態２における図１３と同じ構成を有する場合を想定している。すなわち、４台の通話装置６０１ｃ〜６０１ｆの間で通話する場合である。通話装置６０１ｃ〜６０１ｆはそれぞれ、ゲートウェイ１２０１ｃ〜１２０１ｆを介してインターネット１２０２に接続されている。また、通話装置６０１ｃ〜６０１ｆの間で送受信される音声の信号は、デジタル信号がパケット化されたデータであるとする。なお、実施の形態３における使用時の構成はこの限りではなく、実施の形態１，２で説明したものと同様のバリエーションが存在する。
【００９４】
以上のような構成における実際の話速変換処理の動作例について図１７を参照しながら説明する。ここで、実施の形態２の図１４と同様に、話者Ｃは図１３の通話装置６０１ｃを使用し、話者Ｄは通話装置６０１ｄを使用し、話者Ｅは通話装置６０１ｅを使用し、話者Ｆは通話装置６０１ｆを使用する。また、図１７の動作を開始する前に、話者Ｆのみが前述のように登録ボタン（図２における通話装置６０１の登録ボタン６０５に相当）を押下し、図１６のフローチャートにおけるステップ４１〜ステップ４８にしたがって、通話装置６０１ｆに対し話者Ｃ〜Ｅの話速変換率と再生音量の増幅率および音声特徴の登録を行い、さらにスロー再生ボタン（図２における通話装置６０１のスロー再生ボタン６０６に相当）を押下し、通話装置６０１ｆにおいて音声特徴量の算出および話者の特定と話速および受話音量の選択が行われているものとする。
【００９５】
図１７では省略しているが、通話装置６０１ｆにおいて話者Ｆから話者Ｃ〜Ｅへ話しかけている音声の速さおよび音量と、通話装置６０１ｃ〜６０１ｅからそれぞれ話者Ｃ〜Ｅに聞こえている話者Ｆの音声の速さおよび音量とはそれぞれ同じである。これは実施の形態１の図９における１４１１と１４１３と同様に、話者Ｃ〜Ｅ側の通話装置６０１ｃ〜６０１ｅにおいて話者Ｆの話速変換率、音量および音声特徴の登録が行われていないか、または登録されていても話者Ｃ〜Ｅ側の通話装置６０１ｃ〜６０１ｅのスロー再生ボタン６０６の押下が行われておらず、通話装置６０１ｃ〜６０１ｅにおいて音声特徴量の算出、話者の特定、音量および話速の選択が行われていないためである。
【００９６】
前者の場合、通話装置６０１ｃ〜６０１ｅに搭載された図１６のフローチャートに示す各プログラムの処理状態は、判定時点では音声特徴の登録を行っていないのでステップ４１（Ｙｅｓ）→ステップ４８（Ｙｅｓ）→ステップ４９へと移行する。そこで、スロー再生ボタン６０６の押下が行われていれば、ステップ４９（Ｙｅｓ）→ステップ５０→ステップ５１の順に移行する。ステップ５１において、通話装置６０１ｃ〜６０１ｅの各話者判定部１０３が各音声特徴抽出部１０１からの信号により「Ｎｏ」と判定するので、各話速・音量選択部１０８を介して、その判定結果を受けた通話装置６０１ｃ〜６０１ｅの各話速変換部１０４は、通話装置６０１ｆから送られてくる音声信号の話速変換を行わない。その後、通話装置６０１ｃ〜６０１ｅに搭載された図１６のフローチャートに示す各プログラムの処理状態は、それぞれステップ５１（Ｎｏ）からステップ４１へと移行する。
【００９７】
また後者の場合、通話装置６０１ｃ〜６０１ｅに搭載された図１６のフローチャートに示す各プログラムの処理状態は、判定時点では音声特徴の登録が行われているので、まずはステップ４１（Ｎｏ）→ステップ４８（Ｙｅｓ）→ステップ４９へと移行する。しかしながら、スロー再生ボタン６０６の押下が行われていないので、ステップ４９において「Ｎｏ」と判定されてステップ４１へと移行する。以上に示す状態遷移を、通話装置６０１ｃ〜６０１ｅに搭載された図１１のフローチャートに示す各プログラムは、それぞれ繰り返し行っている。なお、通話装置６０１ｃ〜６０１ｅにおいて、それぞれに搭載された図１６のフローチャートに示す各プログラムの各ステップを互いに同期させて動作させる必要は無い。
【００９８】
これに対し、通話装置６０１ｆから話者Ｆに聞こえている話者Ｃ〜Ｅのそれぞれの音声１７２１〜１７２３は、通話装置６０１ｃ〜６０１ｅにおいて話者Ｃ〜Ｅから話者Ｆへ話しかけている各音声１７１１〜１７１３よりもゆっくりとした速さとなり、それぞれの音量も最適なものとなる。この各話者Ｃ〜Ｅの音声速度と音量は、話者（受聴者）Ｆの登録段階（ステップ４１〜ステップ４８）においてそれぞれ設定されたものとなる。これは、話者Ｆ側の通話装置６０１ｆにおいて話者Ｃ〜Ｅの音声速度、音量および音声特徴の登録が行われ、話者Ｆ側の通話装置６０１ｆのスロー再生ボタン６０６の押下が行われ、通話装置６０１ｆにおいて音声特徴量の算出、話者の特定、話速および音量の選択が行われているためである。なお、図１７の略矩形の音声信号の横方向（図中の左右方向）のサイズは話速の速さを示し、長いほど話速は遅いことを示している。また、略矩形の音声信号の縦方向（図中の上下方向）のサイズは音量の大きさを示し、長いほど音量は大きいことを示している。
【００９９】
この処理状態を図１６に示すフローチャートを用いて説明すると以下のようになる。話者Ｃ〜Ｅのいずれもが話者Ｆへ話しかけていないとき、通話装置６０１ｆに搭載された図１６のフローチャートに示すプログラムの処理状態は、判定時点では音声特徴の登録を行っていないので、ステップ４１（Ｙｅｓ）→ステップ４８（Ｙｅｓ）→ステップ４９へと移行する。また、スロー再生ボタン６０６の押下が行われているので、通話装置６０１ｆに搭載された図１６のフローチャートに示すプログラムの処理状態は、ステップ４９で「Ｙｅｓ」と判定され、ステップ５０→ステップ５１の順に移行する。ステップ５１において通話装置６０１ｆの話者判定部１０３が音声特徴抽出部１０１からの信号と音声特徴記憶部１０２のデータを比較した結果「Ｎｏ」と判定するので、その判定結果を受けた話速変換部１０４は通話装置６０１ｃ〜６０１ｅから送られてくる音声信号の話速変換および音量変換を行わない。
【０１００】
その後、通話装置６０１ｆに搭載された図１６のフローチャートに示すプログラムの処理状態は、ステップ５１（Ｎｏ）からステップ４１へと移行する。以上に示す状態遷移を、通話装置６０１ｆに搭載された図１６のフローチャートに示すプログラムは繰り返し行っている。
【０１０１】
これに対して、たとえば話者Ｃが話者Ｆへ話しかけているとき（図１７の区間１６０１で示される状態にあるとき）、すなわち図１７における音声１７１１が通話装置６０１ｃから通話装置６０１ｆへ伝達されているとき、通話装置６０１ｆに搭載された図１６のフローチャートに示すプログラムの処理状態は、判定時点では音声特徴の登録を行っていないのでステップ４１（Ｙｅｓ）→ステップ４８（Ｙｅｓ）→ステップ４９（Ｙｅｓ）へと移行する。
【０１０２】
また、スロー再生ボタン６０６の押下が行われているので、通話装置６０１ｆに搭載された図１６のフローチャートに示すプログラムの処理状態は、ステップ４９において「Ｙｅｓ」と判定し、ステップ５０→ステップ５１の順に移行する。ステップ５１において通話装置６０１ｆの話者判定部１０３が音声特徴抽出部１０１からの信号と音声特徴記憶部１０２のデータを比較した結果、「話者Ｃである」、すなわちステップ５１で「Ｙｅｓ」と判定し、ステップ５２〜ステップ５３の順に状態が遷移する。つまり、ステップ５１で「Ｙｅｓ」の判定結果を受けた通話装置６０１ｆの話速変換部１０４は、ステップ５２において、話者・話速・音量対応記憶部１０７から話速・音量選択部１０８を介して話者Ｃの話速変換率と再生音量の増幅率をロードし、ステップ５３において通話装置６０１ｃから送られてくる話者Ｃの音声信号１７１１の話速と再生音量変換を行って、１７２１とする。以上に述べた処理は、話者Ｄ，Ｅの音声１７１２，１７１３についても同様に行われ、話者Ｆにはそれぞれ再生音声１７２２，１７２３のように聞こえるようになる。
【０１０３】
なお、本実施の形態３においては、話者Ｆのみが他の話者Ｃ〜Ｅの話速変換率と音声特徴の登録を行った後に、スロー再生ボタン６０６を押下している場合について説明したが、以上のような話速変換率、再生音量の増幅率、音声特徴の登録およびスロー再生ボタン６０６の押下は話者Ｆに限らず他の話者Ｃ〜Ｅが実施してもよいし、複数の話者が同時に実施しても構わない。また、通話装置６０１を２〜３台用いても、５台以上用いてもよいし、ある通話装置６０１において複数の話者が話す場合においても、他の通話装置６０１がその複数の話者の音声特徴と話速変換率と再生音量の増幅率とを登録し、それぞれの話者に適した話速変換と再生音量の変換を行うことも可能である。
【０１０４】
以上のように本実施の形態３では、音声特徴を記憶した話者に対応して設定した話速変換率と音声の増幅率を話者・話速・音量対応記憶部１０７に記憶し、話速・音量選択部１０８が話者判定部１０３によって判定された話者に対応する話速変換率と音声の増幅率を抽出し、これに基づいて話速変換部１０４が受話音声を変換するようにしたので、複数の話者が参加する通話において、受話者の感覚に応じた速さと音量で他の話者の発話内容を聞くことができ、その了解度が改善される。一方で、受聴者が指定していない話者の音声は話速変換が適用されないため、変換が逆効果となって音量のさらなる増大／減少、会話の了解度が低下することを回避することもできる。
【産業上の利用可能性】
【０１０５】
以上のように、本発明にかかる話速変換装置、通話装置および話速変換方法は、複数の話者を相手に通話する電話会議などの電話会議システムに有用である。
【図面の簡単な説明】
【０１０６】
【図１】本発明の実施の形態１における話速変換装置を備える通話装置の一例を示す斜視図
【図２】本発明の実施の形態１における通話装置の上面図
【図３】本発明の実施の形態１における通話装置で本発明の実施の形態１による話速変換装置が関係する部品の構成を模式的に示すブロック図
【図４】本発明の実施の形態１における話速変換装置の機能構成を模式的に示すブロック図
【図５】本発明の実施の形態１における話速変換方法の手順の一例を示すフローチャート
【図６】本発明の実施の形態１における話速変換処理の動作概念を示す図
【図７】本発明の実施の形態１における通話装置の使用時の構成の一例を示す図
【図８】本発明の実施の形態１における通話装置の使用時の構成の他の例を示す図
【図９】本発明の実施の形態１における話速変換処理の実際の動作例を示す図
【図１０】本発明の実施の形態２における話速変換装置が関係する部分の構成を模式的に示すブロック図
【図１１】本発明の実施の形態２における話速変換方法の手順の一例を示すフローチャート
【図１２】本発明の実施の形態２における複数の話者の話速設定によるリアルタイム話速変換の概念図
【図１３】本発明の実施の形態２における通話装置の使用時の構成の一例を示す図
【図１４】本発明の実施の形態２における話速変換処理の実際の動作例を示す図
【図１５】本発明の実施の形態３における話速変換装置が関係する部分の構成を模式的に示すブロック図
【図１６】本発明の実施の形態３における話速変換方法の手順の一例を示すフローチャート
【図１７】本発明の実施の形態３における話速変換処理の実際の動作例を示す図
【図１８】従来の話速変換装置の構成を模式的に示すブロック図
【符号の説明】
【０１０７】
１０１    音声特徴抽出部
１０２    音声特徴記憶部
１０３    話者判定部
１０４    話速変換部
１０５    話者・話速対応記憶部
１０６    話速選択部
１０７    話者・話速・音量対応記憶部
１０８    話速・音量選択部
６０１，６０１ａ〜６０１ｆ    通話装置
６０２ａ〜６０２ｄ，７０８    マイクロホン
６０３，７０７    スピーカ
６０５    登録ボタン
６０６    スロー再生ボタン
６０７    操作ボタン
７０２    通信路インターフェース
７０４    メモリ
７０５    Ｄ／Ａコンバータ
７０６    Ａ／Ｄコンバータ
１２０１ａ〜１２０１ｆ    ゲートウェイ
１２０２    インターネット
１３０１ａ，１３０１ｂ    接続線
１３０２ａ，１３０２ｂ    モデム
１３０３ａ，１３０３ｂ    公衆回線網
１３０４ａ，１３０４ｂ    インターネットサービスプロバイダ
【図１】
2008292621.tif 000003
【図２】
2008292621.tif 000004
【図３】
2008292621.tif 000005
【図４】
2008292621.tif 000006
【図５】
2008292621.tif 000007
【図６】
2008292621.tif 000008
【図７】
2008292621.tif 000009
【図８】
2008292621.tif 000010
【図９】
2008292621.tif 000011
【図１０】
2008292621.tif 000012
【図１１】
2008292621.tif 000013
【図１２】
2008292621.tif 000014
【図１３】
2008292621.tif 000015
【図１４】
2008292621.tif 000016
【図１５】
2008292621.tif 000017
【図１６】
2008292621.tif 000018
【図１７】
2008292621.tif 000019
【図１８】
2008292621.tif 000020